(57)【特許請求の範囲】
【請求項１】
所定の機器が使用した電力である電力使用量を記憶する記憶部と；
所定の間隔で前記電力使用量を計測する計測装置から所定の時間ごとの該電力使用量を所定の間隔で取得する際に、該計測装置に対して、当日分および前日分の所定の時間ごとの電力使用量の履歴情報を要求する要求部と；
前記要求部によって要求された当日分および前日分の電力使用量の履歴情報を前記計測装置から取得して前記記憶部に格納する取得部と；
を具備する通信装置。
【請求項２】
前記要求部は、電力使用量の履歴情報の要求として、０日前の電力使用量の履歴情報を前記計測装置に対して要求し、その後、１日前の電力使用量の履歴情報を前記計測装置に対して要求する請求項１に記載の通信装置。
【請求項３】
前記記憶部は、計測された日時に対応付けて電力使用量を記憶し、
前記記憶部に記憶された電力使用量に欠損があるか否かを判定し、欠損がある場合には、欠損があると判定された電力使用量の計測日時に対応する電力使用量を、前記取得部によって取得された電力使用量で補完して前記記憶部に格納する補完部をさらに具備する請求項１または２に記載の通信装置。
【請求項４】
通信装置が実行する取得方法において、
所定の間隔で所定の機器が使用した電力である電力使用量を計測する計測装置から所定の時間ごとの該電力使用量を所定の間隔で取得する際に、該計測装置に対して、当日分および前日分の所定の時間ごとの電力使用量の履歴情報を要求する要求ステップと；
前記要求ステップによって要求された当日分および前日分の電力使用量の履歴情報を前記計測装置から取得して記憶部に格納する取得ステップと；
を含んだ取得方法。
【請求項５】
コンピュータに、
所定の間隔で所定の機器が使用した電力である電力使用量を計測する計測装置から所定の時間ごとの該電力使用量を所定の間隔で取得する際に、該計測装置に対して、当日分および前日分の所定の時間ごとの電力使用量の履歴情報を要求する要求手順と；
前記要求手順によって要求された当日分および前日分の電力使用量の履歴情報を前記計測装置から取得して記憶部に格納する取得手順と；
を実行させる取得プログラム。
【発明の詳細な説明】
【技術分野】
【０００１】
本発明の実施形態は、通信装置、取得方法及び取得プログラムに関する。
【背景技術】
【０００２】
近年、エコーネットコンソーシアム発行の、スマートメータ−ＨＥＭＳ（Home  Energy  Management  System）間アプリケーション通信インタフェース規格により、スマートメータとＨＥＭＳ機器との間の通信方式や通信内容が定められている。スマートメータは原則として３０分に一度、ＨＥＭＳ機器に電力使用量を伝達することになっている。これにより、ＨＥＭＳ機器は、この電力使用量を蓄積して履歴データ化し、ユーザに提示するなどのサービスを提供する。
【０００３】
ＨＥＭＳ機器の電源が切られていた、ＨＥＭＳ機器とスマートメータ間の通信が何らかの理由で途切れていた、などの理由で電力使用量がＨＥＭＳ機器に伝達されず、ＨＥＭＳ機器などに蓄積されている電力使用量のデータに欠損が発生することがある。
【０００４】
この場合、欠損を埋めるには、前述の規格によってスマートメータに蓄積されている履歴データを用いる方法が定められている。日単位の履歴データとして、ＨＥＭＳ機器はスマートメータに対し、ｎ日前の０時から２３時３０分までの計測値を取得できる機能を備えている。
【０００５】
例えば、前回の３０分に一度の定期のスマートメータからの電力使用量の伝達を受け取れなかったために欠損が発生し、それを埋めたい場合、ほとんどの場合は最新の日単位の履歴データを取得すれば良いが、２３時３０分のデータが欠損している場合、０時を過ぎてから欠損に気づいて最新の日単位の履歴データを取得しても、日付が変わってしまっているので欠損を埋めることはできない。日付を参照して処理を変えても良いが、処理に分岐が発生して複雑になる。また、ＨＥＭＳ装置とスマートメータの時刻が必ずしも合っているとは限らない。
【先行技術文献】
【特許文献】
【０００６】
【特許文献１】特許第５００１０５１号公報
【発明の概要】
【発明が解決しようとする課題】
【０００７】
本発明が解決しようとする課題は、２日分の履歴データを容易に取得し、２日分の履歴データを保持することが可能な通信装置、取得方法及び取得プログラムを提供することである。
【課題を解決するための手段】
【０００８】
実施形態の通信装置は、所定の機器が使用した電力である電力使用量を記憶する記憶部と、所定の間隔で電力使用量を計測する計測装置から所定の時間ごとの該電力使用量を所定の間隔で取得する際に、該計測装置に対して、当日分および前日分の所定の時間ごとの電力使用量の履歴情報を要求する要求部と、要求部によって要求された当日分および前日分の電力使用量の履歴情報を計測装置から取得して記憶部に格納する取得部と、を具備する。
【発明の効果】
【０００９】
実施形態に係る通信装置、取得方法及び取得プログラムによれば、２日分の履歴データを容易に取得し、２日分の履歴データを保持することが期待できる。
【図面の簡単な説明】
【００１０】
【図１】図１は、通信システムの一例の概要を示す図である。
【図２】図２は、ＨＥＭＳ装置の構成の一例を示す図である。
【図３】図３は、履歴データ記憶部に記憶される情報の一例を説明する図である。
【図４】図４は、履歴データの取得について説明する図である。
【図５】図５は、履歴データの補完について説明する図である。
【図６】図６は、実施形態に係るＨＥＭＳ装置における履歴データ取得処理の流れの一例を示すシーケンス図である。
【図７】図７は、実施形態に係るＨＥＭＳ装置における履歴データ補完処理の流れの一例を示すフローチャートである。
【発明を実施するための形態】
【００１１】
以下で説明する実施形態に係る通信装置は、所定の機器が使用した電力である電力使用量を記憶する記憶部と、所定の間隔で電力使用量を計測する計測装置から該電力使用量を取得する際に、該計測装置に対して、当日分および前日分の電力使用量の履歴情報を要求する要求部と、要求部によって要求された当日分および前日分の電力使用量の履歴情報を計測装置から取得して記憶部に格納する取得部と、を具備する。
【００１２】
実施形態に係る通信装置の要求部は、電力使用量の履歴情報の要求として、０日前の電力使用量の履歴情報を計測装置に対して要求し、その後、１日前の電力使用量の履歴情報を計測装置に対して要求する。
【００１３】
また、実施形態に係る通信装置の記憶部は、計測された日時に対応付けて電力使用量を記憶し、記憶部に記憶された電力使用量に欠損があるか否かを判定し、欠損がある場合には、欠損があると判定された電力使用量の計測日時に対応する電力使用量を、取得部によって取得された電力使用量で補完して記憶部に格納する補完部をさらに具備する。
【００１４】
実施形態に係る通信装置が実行する取得方法において、所定の間隔で電力使用量を計測する計測装置から該電力使用量を取得する際に、該計測装置に対して、当日分および前日分の電力使用量の履歴情報を要求する要求ステップと、要求ステップによって要求された当日分および前日分の電力使用量の履歴情報を計測装置から取得して記憶部に格納する取得ステップと、を含む。
【００１５】
実施形態に係る取得プログラムは、コンピュータに、所定の間隔で電力使用量を計測する計測装置から該電力使用量を取得する際に、該計測装置に対して、当日分および前日分の電力使用量の履歴情報を要求する要求手順と、要求手順によって要求された当日分および前日分の電力使用量の履歴情報を計測装置から取得して記憶部に格納する取得手順と、を実行させる。
【００１６】
以下に、本発明にかかる通信装置の実施形態を図面に基づいて詳細に説明する。
【００１７】
［通信システムの構成の一例］
図１は、通信システムの一例の概要を示す図である。図１を参照し、実施形態に係る通信装置であるＨＥＭＳ装置１０を含む通信システム１の一例について説明する。図１に示す実施形態に係る通信システム１は、ＨＥＭＳ装置１０と、スマートメータ２０と、外部サーバ３０と、を備える。また、ＨＥＭＳ装置１０は、インターネット４０を介して、外部サーバ３０と接続される。
【００１８】
ＨＥＭＳ装置１０は、スマートメータ２０と接続され、スマートメータ２０と通信することで電力使用量のデータを収集する。また、ＨＥＭＳ装置１０は、収集した電力使用量のデータを自身の内部の記憶装置に保存して履歴データとするとともに、宅外含め他の場所にある外部サーバ３０に転送する。なお、ＨＥＭＳ装置１０は、２４時間分の履歴データを記憶しており、外部サーバ３０は、ＨＥＭＳ装置１０が収集した全ての履歴データを記憶しているものとする。
【００１９】
スマートメータ２０は、所定の機器が使用した電力である電力使用量を計測する。所定の機器とは、例えば、冷蔵庫、冷暖房装置、テレビジョンセット、空調装置、洗濯機、給湯器、電気錠、インターホン（ドアホン）などの生活家電、パーソナルコンピュータなどの情報家電、太陽光発電関連機器などの家電装置である。
【００２０】
また、スマートメータ２０が計測する電力使用量のデータは３０分単位である。スマートメータ２０は、基本的に３０分おきに電力使用量をＨＥＭＳ装置１０に伝達する。また、スマートメータ２０からｎ日前の電力使用量の履歴、すなわち０時から２３時３０分までの計測値を取得するには、ＥＣＨＯＮＥＴＬｉｔｅ通信を用いてスマートメータの所定のプロパティである日付情報をｎにセットし、応答が返った後に、日単位の履歴データを取得すると定められている。
【００２１】
外部サーバ３０は、電力使用量を記憶する蓄積部３１を有する。外部サーバ３０は、ＨＥＭＳ装置１０から電力使用量のデータを取得し、該電力使用量のデータを履歴データとして蓄積部３１に蓄積する。通信システム１では、ＨＥＭＳ装置１０または外部サーバ３０に蓄積された履歴データを用いて、ユーザに電力履歴を閲覧できるサービスを提供する。
【００２２】
［ＨＥＭＳ装置１０の構成の一例］
図２を参照し、ＨＥＭＳ装置１０の構成について説明する。図２は、ＨＥＭＳ装置の構成の一例を示す図である。ＨＥＭＳ装置１０は、通信部１１と、制御部１２と、記憶部１３と、を備える。
【００２３】
通信部１１は、無線通信処理や有線通信処理を行うためのネットワークデバイスである。例えば、通信部１１は、図１に示したスマートメータ２０や外部サーバ３０との間で、無線通信又は有線通信により各種情報を送受信する。例えば、通信部１１は、スマートメータ２０から電力使用量の履歴データを受信したり、外部サーバ３０へ電力使用量の履歴データを送信したりする。
【００２４】
記憶部１３は、例えば、ＲＡＭ（Random  Access  Memory)、フラッシュメモリ（Flash  Memory）等の半導体メモリ素子、または、ハードディスク、光ディスク等の記憶装置によって実現される。かかる記憶部１３は、履歴データ記憶部１３ａを有する。
【００２５】
履歴データ記憶部１３ａは、所定の機器が使用した電力である電力使用量の履歴データを記憶する。具体的には、履歴データ記憶部１３ａは、２４時間分の電力使用量の履歴データを記憶する。
【００２６】
例えば、履歴データ記憶部１３ａは、図３に例示するように、電力使用量が計測された日時を示す「計測日時」と、電力使用量の値を示す「電力使用量」とを対応付けて記憶する。図３の例では、「2014/9/15  16：00」〜「2014/9/17  15：30」の電力使用量の履歴データを記憶する。
【００２７】
制御部１２は、例えば、ＡＳＩＣ（Application  Specific  Integrated  Circuit）やＦＰＧＡ（Field  Programmable  Gate  Array）等の集積回路により実現される。また、制御部１２は、例えば、ＣＰＵ（Central  Processing  Unit）やＭＰＵ（Micro  Processing  Unit）等によって、内部の記憶装置に記憶されているプログラムがＲＡＭを作業領域として実行されることにより実現される。かかる制御部１２は、要求部１２ａと、取得部１２ｂと、補完部１２ｃとを有する。
【００２８】
要求部１２ａは、所定の間隔で電力使用量を計測するスマートメータ２０から該電力使用量を取得する際に、該スマートメータ２０に対して、当日分および前日分の電力使用量の履歴情報を要求する。具体的には、要求部１２ａは、電力使用量の履歴データの要求として、０日前の電力使用量の履歴データをスマートメータ２０に対して要求し、その後、１日前の電力使用量の履歴データをスマートメータ２０に対して要求する。
【００２９】
取得部１２ｂは、要求部１２ａによって要求された当日分および前日分の電力使用量の履歴情報をスマートメータ２０から取得して履歴データ記憶部１３ａに格納する。具体的には、取得部１２ｂは、０日前の電力使用量の履歴データをスマートメータ２０から取得し、その後、１日前の電力使用量の履歴データをスマートメータから取得する。
【００３０】
ここで、図４を用いて、履歴データの取得について説明する。図４は、履歴データの取得について説明する図である。例えば、取得部１２ｂは、３０分おきにスマートメータ２０から当日分および前日分の電力使用量を取得し、履歴データ記憶部１３ａの履歴データを更新する。
【００３１】
例えば、図４の（１）に示すように、「2014/9/15  16：00」〜「2014/9/17  15：30」の履歴データが履歴データ記憶部１３ａに記憶されている際に、取得部１２ｂは、当日分および前日分の電力使用量の履歴データとして、「2014/9/16  0：00」〜「2014/9/17  16：00」を取得する。この場合に、取得部１２ｂは、履歴データ記憶部１３ａの履歴データを更新し、図４の（２）に示すように、「2014/9/15  16：30」〜「2014/9/17  16：00」の履歴データが履歴データ記憶部１３ａに記憶される。
【００３２】
続いて、取得部１２ｂは、３０分後に、当日分および前日分の電力使用量の履歴データとして、「2014/9/16  0：00」〜「2014/9/17  16：30」の履歴データを取得する。この場合には、取得部１２ｂは、履歴データ記憶部１３ａの履歴データを更新し、図４の（３）に示すように、「2014/9/15  17：00」〜「2014/9/17  16：30」の履歴データが履歴データ記憶部１３ａに記憶される。
【００３３】
補完部１２ｃは、履歴データ記憶部１３ａに記憶された電力使用量に欠損があるか否かを判定し、欠損がある場合には、欠損があると判定された電力使用量の計測日時に対応する電力使用量を、取得部１２ｂによって取得された電力使用量で補完して履歴データ記憶部１３ａに格納する。
【００３４】
ここで、図５を用いて、履歴データの補完について説明する。図５は、履歴データの補完について説明する図である。例えば、補完部１２ｃは、所定のタイミングで、履歴データ記憶部１３ａに記憶された電力使用量に欠損があるか否かを判定する。この結果、図５に例示するように、「2014/9/17  15：30」の電力使用量の履歴データが欠損していた場合は、欠損があると判定された電力使用量の計測日時「2014/9/17  15：30」に対応する電力使用量を、取得部１２ｂによって取得された電力使用量のなかから、電力使用量の計測日時「2014/9/17  15：30」をキーにして、測日時「2014/9/17  15：30」に対応する電力使用量「７００Ｗｈ」を取得し、補完して履歴データ記憶部１３ａに格納する。
【００３５】
このように、スマートメータ２０から３０分おきの電力使用量が伝達されたときに時刻による条件分岐などなく毎回同じ処理を行なうだけで、過去２４時間の間の欠損データを補完することができる。また、ＨＥＭＳ装置１０の内部時計が正確でなく、スマートメータ２０の内部時計と大幅にずれている場合でも、２日分の履歴データを確実に取得できる。
【００３６】
つまり、過去２４時間の間に、ＨＥＭＳ装置１０の電源が切られていた、ＨＥＭＳ装置１０とスマートメータ２０の間の通信が何らかの理由で途切れていた、などの理由で電力使用量がＨＥＭＳ装置１０に伝達されなかった場合でも、その間の欠損した電力使用量の履歴データを補完することができる。また、スマートメータ２０から３０分おきの電力使用量が伝達されたとき、時刻による条件分岐などなく毎回同じ処理を行なうだけで実現できる。また、ＨＥＭＳ装置１０の内部時計が正確でなく、スマートメータ２０の内部時計と大幅にずれている場合でも確実に電力使用量の履歴データを取得できる。
【００３７】
［ＨＥＭＳ装置の処理手順］
図６および図７を参照して、ＨＥＭＳ装置１０における処理の流れの一例を説明する。図６は、実施形態に係るＨＥＭＳ装置における履歴データ取得処理の流れの一例を示すシーケンス図である。図７は、実施形態に係るＨＥＭＳ装置における履歴データ補完処理の流れの一例を示すフローチャートである。
【００３８】
図６に示すように、まず、ＨＥＭＳ装置１０の要求部１２ａは、３０分毎の電力使用量の伝達をスマートメータ２０から受け付けると（ステップＳ１０１）、日付情報を０日前にセットしてスマートメータ２０に通知し（ステップＳ１０２）、正常応答を受信する（ステップＳ１０３）。
【００３９】
そして、要求部１２ａは、０日前の日単位の履歴データをスマートメータ２０に要求する（ステップＳ１０４）。その後、取得部１２ｂは、０日前の日単位の履歴データをスマートメータ２０から取得する（ステップＳ１０５）。
【００４０】
続いて、要求部１２ａは、日付情報を０日前にセットしてスマートメータ２０に通知し（ステップＳ１０６）、正常応答を受信する（ステップＳ１０７）。そして、要求部１２ａは、１日前の日単位の履歴データをスマートメータ２０に要求する（ステップＳ１０８）。その後、取得部１２ｂは、１日前の日単位の履歴データをスマートメータ２０から取得する（ステップＳ１０９）。
【００４１】
次に、図７を用いて、履歴データ補完処理の流れを説明する。図７に示すように、ＨＥＭＳ装置１０の補完部１２ｃは、履歴データ記憶部１３ａに記憶された電力使用量の履歴データに欠損があるか否かを判定する（ステップＳ２０１）。この結果、補完部１２ｃは、欠損がないと判定した場合には（ステップＳ２０１否定）、そのまま処理を終了する。
【００４２】
また、補完部１２ｃは、欠損があると判定した場合には（ステップＳ２０１肯定）、欠損した電力使用量の履歴データの日時をキーにして、取得部１２ｂによって取得された電力使用量のなかから、キーとした日時に対応する電力使用量を取得し（ステップＳ２０２
）、欠損した電力使用量の履歴データを補完して履歴データ記憶部１３ａに格納する（ステップＳ２０３）。
【００４３】
［実施形態の効果］
このように、実施形態に係るＨＥＭＳ装置１０は、履歴データ記憶部１３ａと、要求部１２ａと、取得部１２ｂとを具備する。履歴データ記憶部１３ａは、所定の機器が使用した電力である電力使用量を記憶する。要求部１２ａは、所定の間隔で電力使用量を計測するスマートメータ２０から該電力使用量を取得する際に、該スマートメータ２０に対して、当日分および前日分の電力使用量の履歴情報を要求する。取得部１２ｂは、要求部１２ａによって要求された当日分および前日分の電力使用量の履歴情報をスマートメータ２０から取得して履歴データ記憶部１３ａに格納する。このため、２日分の履歴データを容易に取得し、２日分の履歴データを保持することができる。
【００４４】
また、実施形態に係るＨＥＭＳ装置１０では、要求部１２ａは、電力使用量の履歴情報の要求として、０日前の電力使用量の履歴情報をスマートメータ２０に対して要求し、その後、１日前の電力使用量の履歴情報をスマートメータ２０に対して要求する。このため、確実に２日分の履歴データを取得することができる。
【００４５】
また、実施形態に係るＨＥＭＳ装置１０では、履歴データ記憶部１３ａは、計測された日時に対応付けて電力使用量を記憶する。また、ＨＥＭＳ装置１０は、履歴データ記憶部１３ａに記憶された電力使用量に欠損があるか否かを判定し、欠損がある場合には、欠損があると判定された電力使用量の計測日時に対応する電力使用量を、取得部１２ｂによって取得された電力使用量で補完して履歴データ記憶部１３ａに格納する。このため、欠損した電力使用量の履歴データを容易に補完することが可能である。
【００４６】
［プログラム］
なお、ＨＥＭＳ装置１０は、例えば、汎用のコンピュータ装置を基本ハードウェアとして実現することが可能である。すなわち、要求部１２ａ、取得部１２ｂ、補完部１２ｃは、上記のコンピュータ装置に搭載されたプロセッサにプログラムを実行させることにより実現することができる。要求部１２ａ、取得部１２ｂ、補完部１２ｃは、例えば、ＣＰＵ（Central  Processing  Unit）などの処理装置にプログラムを実行させること、すなわち、ソフトウェアにより実現してもよいし、ＩＣ（Integrated  Circuit）などのハードウェアにより実現してもよいし、ソフトウェアおよびハードウェアを併用して実現してもよい。  
【００４７】
このとき、ＨＥＭＳ装置１０は、上記のプログラムをコンピュータ装置にあらかじめインストールすることで実現してもよいし、ＣＤ−ＲＯＭなどの記憶媒体に記憶して、あるいはネットワークを介して上記のプログラムを配布して、このプログラムをコンピュータ装置に適宜インストールすることで実現してもよい。また、要求部１２ａ、取得部１２ｂ、補完部１２ｃは、上記のコンピュータ装置に内蔵あるいは外付けされたメモリ、ハードディスクもしくはＣＤ−Ｒ、ＣＤ−ＲＷ、ＤＶＤ−ＲＡＭ、ＤＶＤ−Ｒなどの記憶媒体などを適宜利用して実現することができる。
【００４８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４９】
１  通信システム
１０  ＨＥＭＳ装置
１１  通信部
１２  制御部
１２ａ  要求部
１２ｂ  取得部
１２ｃ  補完部
１３  記憶部
１３ａ  履歴データ記憶部
２０  スマートメータ
３０  外部サーバ
３１  蓄積部
４０  インターネット
【図１】
0006314769.tif 000002
【図２】
0006314769.tif 000003
【図３】
0006314769.tif 000004
【図４】
0006314769.tif 000005
【図５】
0006314769.tif 000006
【図６】
0006314769.tif 000007
【図７】
0006314769.tif 000008